(57)【要約】  本発明に係る建築構造物用のコネクター（１）は、様々な形状の間隔を備えた円錐又は半円錐状の突起部を有する。本発明に係る建築構造物は、前記コネクター（１）を多量に用いて形成される。【選択図】図３０
2015506426.tif 000002
【特許請求の範囲】
【請求項１】
円錐又は半円錐形状の側面と、長手方向に広がる第１の伸展部と、を有する少なくとも１つの第１の突起部（７）を形成するために、曲げられた鋼の棒（６）を有することを特徴とする、建築構造物用のコネクター（１）。
【請求項２】
鋼から形成されることを特徴とする、請求項１に記載のコネクター（１）。
【請求項３】
高い引張強度及びねじり強度を有する熱可塑性複合材料から形成されることを特徴とする、請求項１に記載のコネクター（１）。
【請求項４】
少なくとも１つの鉄製の補強棒（５）を収納するための少なくとも１つのシート又はブラケット（３）を備えることを特徴とする、請求項１に記載のコネクター（１）。
【請求項５】
少なくとも１つの鉄製の前記補強棒（５）を収納するための前記シート又は前記ブラケット（３）を２つ有することを特徴とする、請求項４に記載のコネクター（１）。
【請求項６】
前記鋼の棒（６）が、円錐又は半円錐形状の側面と、長手方向に広がる第２の伸展部とを有する少なくとも１つの第２の突起部（９）を形成するように曲げられて構成され、前記第２の伸展部が前記第１の伸展部より小さいことを特徴とする、請求項１に記載のコネクター（１）。
【請求項７】
少なくとも１つのスナップ型バヨネット状連結部材（１１）を備えることを特徴とする、請求項１から６のいずれか１項に記載のコネクター（１）。
【請求項８】
請求項１から７のいずれか１項に記載の多量のコネクター（１）によって形成され、連続的な表面と均一なタイプの装飾的なコーニス状の絶縁体である建築構造物（１２）。
【請求項９】
請求項１から７のいずれかに記載の多量のコネクター（１）によって形成され、
複数のポリプロピレン製コネクターを用いた結合手段を備えたタイプの装飾的なコーニス状の絶縁体であって、
前記ポリプロピレン製コネクターが、開いた構造的な複数の前記シート（３）を収納できるように、一方及び他方の前記スナップ型バヨネット状連結部材に固く及び簡単に挿入され、
複数の前記シート（３）が、鋼の前記第１の突起部（７）及び前記第２の突起部（９）の上に配置された複数の前記補強棒（５）を挟持していない連設する他のシート（３）に、強制的に重なって配置されるように構成される、建築構造物（１２）。
【請求項１０】
前記シート（３）が構造的に開いており、
産業レベルで製造され、
欧州ＡＳＴＭインターナショナルの規格に準拠した歪曲部を備え、
構造的な必要性に応じて補強された鋼のケージを形成するために閉じる前記シート（３）を設置する前に、上部からの水平な複数の前記補強棒（５）の収容部としても機能することを特徴とする、請求項８又は９に記載の建築構造物（１２）。
【請求項１１】
構造的な前記シート（３）が、せん断力に対抗するために傾いた位置に、好ましくは４５度に設置されるように構成されることを特徴とする、請求項８又は９に記載の建築構造物（１２）。
【請求項１２】
コンクリートの注入工程において支えるための支柱を施すこと無く、同時に、封入された装飾に従うように形成された請求項８又は９に記載の建築構造物（１２）。
【請求項１３】
第１の構造基盤部材（３０）を最小基盤として配置する工程と、少なくとも１つの第２の構造基盤部材（３２）を前記第１の構造基盤部材（３０）に沿うように結合する工程と、第１の構造壁部材（３４）を前記第１の構造基盤部材（３０）の周縁に設置する工程と、第２の構造壁部材（３６）を前記第２の構造基盤部材（３２）の周縁に設置する工程と、構造カバー部材（３８）を前記第１の構造壁部材（３４）と前記第２の構造壁部材（３６）の上に設置する工程と、第３の構造壁部材（４０）を前記構造カバー部材（３８）の上に設置する工程と、を有する請求項８から１２のいずれか１項に記載の建築構造物（１２）の組立方法。
【発明の詳細な説明】
【技術分野】
【０００１】
本発明は、特に鋼並びに／又は高い引張強度及びねじり強度を有する熱可塑性の複合材料で形成された、円錐又は半円錐状の突起部を有するコネクター、並びにこのようなコネクターを多量に用いて形成された建築構造物及び建築物外構に関する。
【発明の概要】
【０００２】
特に、建築構造物は装飾的なコーニス状の絶縁体として形成される。本発明の目的である様々な形状のモジュール構造物は、特に、地震に対して建物を支えるためにカプセル状の集合として形成された耐震性及び断熱性を有する頑丈な壁用の基盤と、単一方向で遮音性のある様々な形状の天井及び床、並びに双方向に遮音性のある様々な形状の天井及び床と、振動している建築構造物の揺れが収まるように地震に対して補強するために、頑丈で網状構造の縦方向コンクリート核を有し、断熱性及び遮音性も有する外付けの断熱複合システムの覆いと、換気孔を設けた外付けの断熱複合システムの覆いと、音及び熱を通す金属合金製のアーチ状外弧の天井と、表面がアルミニウムフィルム、金属合金、プラスチックを複合した熱可塑性材料、ポリスチレン及び／又はポリプロピレンから形成され、断熱性及び遮音性と共に卓越した通気性を有するアーチ状外弧の熱反射性、断熱性、及び遮音性の床と、を実現するために設計される。
【０００３】
周知のように、高い機械抵抗性、耐熱性、及び防音性を有しながら同時に高い通気性を保証する前述の部材のような、卓越した耐熱性、防音性及び耐震性の複数の構造機能を有する様々な形状のモジュール部材の実現は、全世界の民間の及び工業的建物において常に非常に慎重に扱うべき課題である。
【０００４】
もう１つ重要な課題は、耐熱性、防音性及び耐震性を有し、環境に優しく、モジュール式で鏡面状の連結を介してそのままで簡単に組立てられ、短時間で誰にでも簡単に設置できるような、頑丈な様々な形状の複数のモジュール構造物を提供することである。
【０００５】
本発明の目的は、耐熱性及び防音性、又は全区画での均一性及び環境への優しさを同時に有し、カプセル状の集合であって、断熱性を有する耐震性の基盤と、頑丈で断熱性及び通気性を有する格納壁又は耐力壁と、音響が一方方向又は双方向である様々な形状の天井及び床と、建物を存在させるためにコンクリート構造の補強で覆われた縦方向の核及び防音性の格子を有する、外付けの断熱複合システムの覆いと、マクロ又はミクロの通気孔が設けられた外付けの断熱複合システムの覆いと、金属合金、プラスチック複合の熱可塑性材料又はポリスチレン製の、通気孔の設けられたアーチ状外弧の遮音性の屋根と、卓越した通気性、断熱性及び遮音性を有する同様の物と、を形成できる耐震性の建築構造物を提供することである。
【０００６】
本発明の範囲内において、本発明の目的は全ての区画で均一であって、モジュール式で様々な形状であって、環境に優しく、非常に少ない部材の乾性な連結によって組立てることが可能であって、誰にでも簡単に早急に設置できる、建築構造物又は包括的な建築物外構を形成することである。
【０００７】
更なる目的は全ての区画で均一であって、全ての部分で環境への優しさ、断熱性、及び遮音性を有し、移動及び取付けを容易にするために軽い材料から構成され、リサイクルさえも可能であって、卓越した固定の機能も維持したままの、耐震性の建築構造物及び／又は建築物外構を提供することである。
【０００８】
本発明の建築構造物及び／又は建築物外構は、その唯一の特別な構造的特性のために、強い地震の危険性のある地域での構造的信頼性、並びに組立作業及び設置作業の際の安全性に関して最高の確実性を保証することができる。
【０００９】
前述の及びその他の目的は後述により明確になるであろうが、断熱性及び遮音性を有し、モジュール式の様々な形状であって、環境に優しい、請求項１に記載のコネクターによって形成された、耐震性の建築構造物及び／又は建築物外構によって達成される。
【００１０】
この様なモジュール構造物は、全ての部分で均一で環境に優しく、好ましくは様々な形状のハニカム構造を備える少なくとも１つのモジュール部材を有し、形状と建築上の制約なく異なる実施形態を得るために、異なる複数のモジュール部材にも繋ぐことができる。このモジュール部材は、任意のプラスチック材料、その他のポリマー若しくは共重合体の複合材料、自然素材及び／若しくは絶縁性の合成素材、又は、任意の金属合金から形成される。このモジュール部材はモジュール部材自体に、産業レベルの製造時の真空処理において、鋳造や押出成形によって形成された一連の通路を有する。前述の様々な形状のモジュール部材は構造的部材を構成し、最小の薄さでもリブ構造の内部でも絶縁性を有する。
【００１１】
様々な形状のモジュール部材の外表は一連の溝及びリブを有し、好ましくは刻み目のついた又は丸いリブの蟻継形状であって、２つ以上の部材を互いに係合することができる。これらの様々な形状のモジュール部材は、異なる種類の杭状の雄及び雌、又は水平なリブの雄若しくは雌の頭を係合させてもよく、通路が一致するように配列することで部材のリバーシブル性を保証できる。
【００１２】
モジュール部材は絶縁パネルに接合される。絶縁パネルは、好ましくは様々な形状であって、金属合金、及び／又はプラスチック材料、もちろんそれらの複合材料から成り、外表にリブを有するか、又は実質上滑らかで即座に設置するのに適しているか若しくは皺状の外表を有した様々な形状である。水平に設置された絶縁パネルは、追加のモジュール部材と即座に噛み合うのに、又は縦及び／若しくは網状の位置に多量の鋼の補強を適用するのに役立つ。同じ絶縁パネルは、スクリードからの仕上げの噴出を用いて、例えば構造的に対応する厚板などを形成するために、２５ｍｍの最薄コンクリートカバーに重なるように設置され、密度に基づく重要な熱質量と熱反射によって特徴づけられる。
【００１３】
同じモジュール部材は、金属合金及び／又はプラスチック複合の熱可塑性の押出発砲ポリスチレン（ＸＰＳ）、通常の又はエンボス加工のアルミニウムで覆われ、外殻をカバーする又はコーティングするフィルムとしてあらかじめ形成された発砲ポリエチレン（ＥＰＳ）から形成された様々な形状のパネルに接合される。パネルは外表にリブを有するか、又は外表が実質的に滑らかで水平若しくは垂直に間近な位置に設置するのに適しているか、若しくは皺状の外表を有している。水平に設置されたパネルは、卓越した熱反射性及び遮熱性を有する天井を形成するためのものであって、水が滑らかに流れるのに必須である管を取付けるための溝を維持した後、完全に面を同一平面にするためにセメントを補充してもよく、マルチタイプのセラミックの床用タイル及び仕上げに接着剤を使用しないあらゆるタイプの部材を直接そこに並べることができる。
【００１４】
同じモジュール部材は、様々な形状の金属合金から形成されたパネルに接合される。パネルは、リブのある又は皺のよった外表を有し、応力に抗うように壁に対して垂直に設置され、漆喰が塗られるか又はその他の仕上げ部材で仕上げられた外付けの断熱性複合システムの覆いにおいて、熱反射性の観点を実装するのに用いられる。
【００１５】
同じモジュール部材は、様々な形状の金属合金のパネルに接合される。このパネルは皺状の外表を有し、床又は厚板に対して垂直又は傾いて設置され、マクロ若しくはミクロの通気性と熱反射性の観点を実現するのに役立つか、又は光起電性のパネルや世界市場で利用可能なマルチ型のタイルのようなあらゆる仕上げ部材によって覆われる。
【図面の簡単な説明】
【００１６】
本発明の更なる特徴及び利点は、推奨のただし排他的でない本発明の実施形態の説明からより明らかになり、本発明の実施形態は添付の図に限定的でない実施例として示されている。
【図１】図１は、構造物の上に設置された本発明の一連のコネクターの詳細図である。
【図２】図２は、図１に示す組立の変形例を示す図である。
【図３】図３は、本発明の構造に係る可能な実施形態を示す斜視図である。
【図４】図４は、図１に示す組立の変形例を示す図である。
【図５】図５は、本発明に係る複数のコネクターの詳細な側面図である。
【図６】図６は、装飾を有するモールディングの断面図である。
【図７】図７は、装飾を有するモールディングの断面図である。
【図８】図８は、図３に示す構造物の組立に係る工程の斜視図である。
【図９】図９は、図３に示す構造物の組立に係る工程の斜視図である。
【図１０】図１０は、図３に示す構造物の組立に係る工程の斜視図である。
【図１１】図１１は、図３に示す構造物の組立に係る工程の斜視図である。
【図１２】図１２は、図３に示す構造物の組立に係る工程の斜視図である。
【図１３】図１３は、図３に示す構造物の組立に係る工程の斜視図である。
【図１４】図１４は、補強棒のためのシートの実施形態の１つを示す図である。
【図１５】図１５は、補強棒のためのシートの実施形態の１つを示す図である。
【図１６】図１６は、補強棒のためのシートの実施形態の１つを示す図である。
【図１７】図１７は、補強棒のためのシートの実施形態の１つを示す図である。
【図１８】図１８は、補強棒のためのシートの実施形態の１つを示す図である。
【図１９】図１９は、補強棒のためのシートの実施形態の１つを示す図である。
【図２０】図２０は、補強棒のためのシートの実施形態の１つを示す図である。
【図２１】図２１は、補強棒のためのシートの実施形態の１つを示す図である。
【図２２】図２２は、補強棒のためのシートの実施形態の１つを示す図である。
【図２３】図２３は、補強棒のためのシートの実施形態の１つを示す図である。
【図２４】図２４は、補強棒のためのシートの実施形態の１つを示す図である。
【図２５】図２５は、本発明に係るコネクターの実施形態の１つを示す図である。
【図２６】図２６は、本発明に係るコネクターの実施形態の１つを示す図である。
【図２７】図２７は、本発明に係るコネクターの実施形態の１つを示す図である。
【図２８】図２８は、本発明に係るコネクターの実施形態の１つを示す図である。
【図２９】図２９は、本発明に係るコネクターの実施形態の１つを示す図である。
【図３０】図３０は、本発明に係るコネクターの実施形態の１つを示す図である。
【図３１】図３１は、本発明に係るコネクターの実施形態の１つを示す図である。
【図３２】図３２は、本発明に係るコネクターの実施形態の１つを示す図である。
【発明を実施するための形態】
【００１７】
図より、鋼並びに／又は高い引張強度及びねじり強度を有する熱可塑性の複合材料から形成された本発明の建築構造物用のコネクター１は、様々な形状であって、円錐又は半円錐状の突起部を有するという一般的な特性をもつことがわかる。
【００１８】
本発明の建築構造物用のコネクター１は、円錐又は半円錐状の側面と、長手方向に広がる第１の伸展部と、を備える第１の突起部７を形成するように曲げられた鋼の棒６を有する。
【００１９】
特に、本発明のコネクター１は、少なくとも１つの鉄製の補強棒５を収納できる少なくとも１つ（ただし好ましくは２つ）のシート３を備える。
【００２０】
更に本発明のコネクター１は、第１の伸展部に少なくとも１つ（好ましくは２つ）のテーパ状の突起部７を形成するように再び曲げられた（例えば鋼の）棒６を有する。その後、本発明のコネクター１は、好ましくは第２の伸展部に少なくとも１つ（好ましくは２つ）のテーパ状の第２の突起部９を形成するように曲げられた鋼の棒を有する。第２の伸展部は、第１の伸展部よりも小さい。
【００２１】
更に、本発明のコネクター１は、簡単に場所への取付けが可能な即座に連結する少なくとも１つのバヨネット状連結部材１１を備える。
【００２２】
前述したようにこのようなコネクター１を多量に用いて、耐震構造であって、全ての区画で均一である、一連の建築構造物及び／又は建築物外構を、特に図に示す建築構造物１２を形成することが可能となる。
【００２３】
建築構造物１２は、連続的な表面を有し、耐震性と熱音響的に最適解である均一なタイプの、又は開いたＵ型のブラケット３を固く及び簡単に留めるために、一方及び他方のバヨネット状連結部材と嵌合する複数のポリプロピレン製のコネクターを用いた結合手段を備えたタイプの、装飾的なモールディング状の絶縁体である。複数のブラケット３は、第１のブラケット３を閉じるときに、鋼の突起部７、９を有するコネクターの上に一度設置された補強棒５を挟持していない連設する他のブラケット３に、強制的に重なり合って配置されるように構成される。
【００２４】
本発明の建築構造物１２により、前述した従来型より優れた、産業レベルで製造された開いた構造のＵ型のブラケット３が提供される。この建築構造物１２において、これらのブラケット３は、多様な歪曲部（欧州共同体  欧州ＡＳＴＭインターナショナルに準拠）を備え、構造的な必要性に応じて補強した鋼のケージを形成するために閉じるブラケット３を設置する前に、上部からの水平な鉄製の補強棒５の更なる収容部として機能する。
【００２５】
更に、これらの構造的なブラケット３は、せん断力に効果的に対抗できるように好ましくは４５度の傾いた位置（図３、４）に設置するように構成されている。
【００２６】
従って本発明の建築構造物１２は、前述のコネクターを用いて補強された棒を収納するための型枠に従うように適合し、もちろん同時に、統合的にコンクリートの打ち込みを支えるための支柱を施されることなく、装飾体となる。
【００２７】
図８から１３は、本発明の建築構造物１２の組立工程の斜視図であって、特に、例えばこの場合は三角形である第１の構造基盤部材３０を最小の基盤として配列する工程（図８）と、少なくとも１つの第２の構造基盤部材３２を第１の構造基盤部材３０に結合し、例えばこの場合は結合した構造が四角形となる工程（図９）と、第１の構造壁部材３４を、第１の構造基盤部材３０の周縁に設置する工程（図１０）と、第２の構造壁部材３６を、第２の構造基盤部材３２の周縁に設置する工程（図１１）と、構造カバー部材３８を、第１の構造壁部材３４及び第２の構造壁部材３６の上に設置する工程（図１２）と、第３の構造壁部材４０を構造カバー部材３８の上に設置する（図１３）工程と、を有する。
【図１】
2015506426.tif 000003
【図２】
2015506426.tif 000004
【図３】
2015506426.tif 000005
【図４】
2015506426.tif 000006
【図５】
2015506426.tif 000007
【図６】
2015506426.tif 000008
【図７】
2015506426.tif 000009
【図８】
2015506426.tif 000010
【図９】
2015506426.tif 000011
【図１０】
2015506426.tif 000012
【図１１】
2015506426.tif 000013
【図１２】
2015506426.tif 000014
【図１３】
2015506426.tif 000015
【図１４】
2015506426.tif 000016
【図１５】
2015506426.tif 000017
【図１６】
2015506426.tif 000018
【図１７】
2015506426.tif 000019
【図１８】
2015506426.tif 000020
【図１９】
2015506426.tif 000021
【図２０】
2015506426.tif 000022
【図２１】
2015506426.tif 000023
【図２２】
2015506426.tif 000024
【図２３】
2015506426.tif 000025
【図２４】
2015506426.tif 000026
【図２５】
2015506426.tif 000027
【図２６】
2015506426.tif 000028
【図２７】
2015506426.tif 000029
【図２８】
2015506426.tif 000030
【図２９】
2015506426.tif 000031
【図３０】
2015506426.tif 000032
【図３１】
2015506426.tif 000033
【図３２】
2015506426.tif 000034
【国際調査報告】
2015506426.tif 000035
2015506426.tif 000036
2015506426.tif 000037
2015506426.tif 000038